(57)【要約】【課題】プリンタの色再現性は実際には機種のみならず、個別のプリンタの特性によっても色が微妙に違う場合があり、修正の必要がある場合に、誤って画像データ原本を修正して無くしてしまうことや、バックアップのために原本画像データを必要以上に保持する必要がない色修正装置を提供する。【解決手段】画像データを処理する計算機と、カラー表示装置と、カラー表示装置上における修正すべき色の選択を促す色選択手段と、選択された色を持つ領域の色を修正する色修正手段と、を備えた色修正装置において、色修正手段が原画像データとは別個の個別のプリンタ対応データを作成する修正データ作成手段からなり、修正データにより個別のプリンタで修正結果により印刷可能であることを特徴とする色修正装置を提供する。【選択図】    図１
2005184261.tif 000002
【特許請求の範囲】
【請求項１】
画像データを処理する計算機と、カラー表示装置と、カラー表示装置上における修正すべき色の選択を促す色選択手段と、選択された色を持つ領域の色を修正する色修正手段と、を備えた色修正装置において、色修正手段が原画像データとは別個の個別のプリンタ対応データを作成する修正データ作成手段からなり、修正データにより個別のプリンタで修正結果により印刷可能であることを特徴とする色修正装置。
【請求項２】
請求項１記載の色修正装置における修正データが、原画像データと修正結果との差分色値データであることを特徴とする色修正装置。
【請求項３】
請求項１または２記載の色修正装置において、色修正手段が、抽出された色をもとに修正候補色を表示する手段と、候補色を指示入力する手段と、選択された候補色により抽出された色を修正する手段と、を備えたことを特徴とする色修正装置。
【発明の詳細な説明】
【技術分野】
【０００１】
本発明は、カラー画像中の任意に色抽出した抽出色を修正する機能を有する色修正装置に関する。
【背景技術】
【０００２】
提案書や各種文書などの、計算機を用いたデザインでは、表示装置上で画像データを作成したり、または画像読取装置などにより、基となる画像を入力して、画像の各部分に色を割り当てたりして画像データを作成する。これらの画像データを仕上げる過程で、割り当てた色を調整・修正したりすることが必要となる。また、コンピュータグラフィックスの作成では、作成した画像データの色の調整などが必要とされている。この様な場合、画像データの色を修正する手段は、特許文献１記載の様に既に知られている。
【０００３】
特許文献は以下のものである。
【特許文献１】特開平５−１２８２２５号公報
【発明の開示】
【発明が解決しようとする課題】
【０００４】
このような計算機上での色の調整・修正などの利用においては、特許文献１の様に、色の調整・修正結果を用いて新たな画像データとしていた。ところが、プリンタの色再現性は実際には機種のみならず、個別のプリンタの特性によっても色が微妙に違う場合がある。
【０００５】
この様に印刷毎に色調整する場合、少しずつ調整・修正を行った結果、元の色指定がどの様な色であったのか分からなくなり、調整が困難になる場合があった。
【０００６】
この様な事を無くすためにはかならず画像データ原本から色修正を行えば良いが、今度は誤って画像データ原本を修正して保存してしまい、画像データ原本を無くしてしまう場合があった。また、この様な画像データの原本管理を厳重に行う事も行われているが、これでは色修正に操作性上面倒な手続きが必要となっていた。さらに、バックアップのために原本画像データを必要以上に保持する必要があった。
【０００７】
本発明は上記問題点の解決を図り、操作が簡単で精度のよい画像データの色の修正手段を提供することを目的としている。
【課題を解決するための手段】
【０００８】
本発明はかかる課題を解決するものであり、請求項１に係る発明では、画像データを処理する計算機と、カラー表示装置と、カラー表示装置上における修正すべき色の選択を促す色選択手段と、選択された色を持つ領域の色を修正する色修正手段と、を備えた色修正装置において、色修正手段が原画像データとは別個の個別のプリンタ対応データを作成する修正データ作成手段からなり、修正データにより個別のプリンタで修正結果により印刷可能であることを特徴とする色修正装置を提供するものである。
【０００９】
これにより、原本である原画像データを修正することによる障害を発生させることなくプリンタ対応のデータを作成することが可能になる。また、これによりプリンタやプリンタの機種が変更になっても容易に対応することが可能になり、容易に細かい色調整を行うことが可能になったものである。
【００１０】
本発明はかかる課題を解決するものであり、請求項２に係る発明では、請求項１記載の色修正装置における修正データが、原画像データと修正結果との差分色値データであることを特徴とする色修正装置を提供するものである。これにより、多くのプリンタやプリンタの機種がある場合でも、容易に多くの対応をすることが可能になった。
【００１１】
本発明はかかる課題を解決するものであり、請求項３に係る発明では、請求項１または２記載の色修正装置において、色修正手段が、抽出された色をもとに修正候補色を表示する手段と、候補色を指示入力する手段と、選択された候補色により抽出された色を修正する手段と、を備えたことを特徴とする色修正装置を提供するものである。これにより、実際の修正候補色の選定作業が容易になり、容易に修正することが可能になった。
【発明の効果】
【００１２】
以上の様に本発明では、個別のプリンタに対応した印刷が可能であり、これにより細かなプリンタの色特性にも容易に対応することが可能になったものである。また、複数機種もしくは複数台のプリンタを使用する場合にも、その各々のプリンタに対する対応が容易であるにも関わらず、原画像データ自体が修正されることがないため、原画像データがどのようなものであったかわからなくなることがなくなり、安心して修正づることが可能になる。
【発明を実施するための最良の形態】
【００１３】
以下に、本発明の一実施形態を、図を参照しながら説明する。図１は本発明の原理説明図である。また、図２はそれに相応する画像表示装置に表示された表示の例である。
【００１４】
図１において、１０はＣＰＵやメモリなどからなる画像データを処理する計算機、１１はイメージスキャナなどの画像入力装置、１２はマウスやライトペンなどの位置入力装置、１３はカラーディスプレイなどの画像表示装置、１４は入力画像データを蓄える画像保持用メモリ、１５は画面上の抽出する色を示す代表点の位置を入力する代表点指示入力部、１６は代表点で指定された色を表示する指定色表示部、１７は指定された色を抽出する色抽出部、１８はカラーディスプレイ１３への表示データを格納する表示用メモリ、１９は抽出色をもとに修正候補色選択部、２０は画面上の特定の位置に設けられた修正候補色表示領域、２１は位置入力装置１２によって指示された代表点、２２は抽出した色の範囲について抽出色の修正などの画像データの画像処理を行う色修正部を表す。
【００１５】
イメージスキャナなどの画像入力装置１１から入力された、ＲＧＢ信号などの入力画像データは、画像保持用メモリ１４に蓄えられる。この画像データは、まずディスプレイの表示用メモリ１８にそのまま送られ、カラー画像が画像表示装置１３に表示される。
【００１６】
色抽出の指示があった場合、代表点指示入力部１５は、位置入力装置１２によってオペレータが指示した代表点２１の位置情報を入力する。指定色表示部１６は、ディスプレイ画面上に特定のある大きさを持つ領域を修正候補色表示領域２０として設け、画像保持用メモリ１４から代表点として選択された位置の抽出色を読み出し、その抽出色をもとに修正候補色選択部１９で修正候補色を作成し、これを表示用メモリ１８上の修正候補色表示領域２０に対応する領域に書き込むことにより、代表点として選択された抽出色と修正候補色を図２に示す様に表示する。この修正候補色表示領域２０は、操作指示用のウインドウ（図示省略）内に設けてもよい。
【００１７】
この様に、色抽出指示により抽出される部分は、画像データが複数の子画像から構成されている場合にはその子画像部分のみを抽出範囲とするものでも構わない。例えば、マルチウインド形式の表計算ソフトや、パンフレットデータやちらしデータの場合、一部分の
表や図、文字などを色抽出可能とし、同じ画像データ内に同じ色の部分を含むものであっても、選択された部分以外の同じ色の部分を修正対象外とすることも可能である。また、画像データ全体を抽出範囲とする事も可能である。
【００１８】
この修正候補色表示領域２０に表示した色のうち修正しようとする色を指定した場合、画像保持用メモリ１４の同じ色または色空間上でその色を中心として定められる所定の範囲の色を色修正部２２等により変更して表示するとともに、抽出色と指定色との相違を差分色値として記憶し、これを修正データとする。
【００１９】
この状態で印刷指示をすれば抽出領域における抽出色は、差分色値を加味した色でプリントされる。これにより、その色についての調整・変更を個々のプリンタに合わせて精度よく行うことが可能になる。
【００２０】
なお、プリントした結果、調整などが不十分と判断された場合には、再び抽出作業に入り、不満の場合には再度代表色を指定して同様の操作を繰り返すことができる。
【００２１】
さらに、プリンタが複数台ある場合には、プリンタ毎に修正データを持つようにする事も可能であり、修正データは、プリンタが単一ならば特に指定する必要がないが、複数台もしくは複数機種ある場合には、複数持つ方が好ましい。この場合、修正データは機種毎とすることも可能であるが、細かく調整したい場合は個別のプリンタ毎に修正データを持つのが好ましい。
【００２２】
修正データについては、データ容量の関係上色差差分データとするのが好ましい場合が多いが、修正後の全画像データ、もしくは子画像部分のみの修正後の画像データを用いることも可能であり、この方法では、原画像を参照する必要がない。
【００２３】
なお、修正データは上記の差分データ等のみで構成したものでも構わないが、プリンタとの関係を自動判別するため、もしくは誤りを確認するために、画像データに関するデータのみならず、プリンタもしくはプリンタの機種に関する情報を付加させたものでも構わない。
【００２４】
さらに、修正処理はプリンタもしくはプリンタ機種に対応した画像データのみを修正できる機能となっているものでなくとも、原画像データ自体の修正も行え、どちらを修正するか選択できる機能を持っているものでも構わない。
【実施例１】
【００２５】
図３は本発明の実施例の処理フロー、図４は本発明の実施例による色の指定と指定色の表示例を示す。
まず図３および図４により、本発明の実施例による色の修正処理の流れを説明する。以下の説明における（１０１）〜（１０７）は、図３に示す処理（１０１）〜（１０７）に対応する。
【００２６】
（１０１）色の抽出対象となるカラー画像をカラーディスプレイ１３に表示する。
（１０２）ディスプレイ上に表示したカラー画像中で、例えば抽出する領域の一点をオペレータにマウス、ライトペンなどで指示させることにより、抽出色とその抽出された領域を選択する。例えば、文字であれば選択された文字と関連する文字列のうち同一の色の部分だけが選択される。
【００２７】
図４の（ａ）において、Ａは対象子画像、３０はマウスカーソルを表す。マウスボタンが押されたとき、マウスカーソル３０の位置を読み取り、その位置を指定された代表点と
認識し、その対象子画像中のＲＧＢデータのみを認識し、そのＲＧＢデータのなかから代表点と同じ色のＲＧＢデータのみを認識し抽出することで抽出色選択する。
【００２８】
（１０３）抽出された色をもとに、その色に隣接する明度の色と、その色に隣接する色相の色を自動的に選択し、抽出された色を中心としてマトリックス状に別ウインドとして表示する。この場合、３×３のマトリックス表示としたが、高い精度を求める場合は５×５のマトリックスや、グラデーション表示などで多くの候補色を表示するものであってもかまない。
【００２９】
（１０４）表示された候補色のなかから修正色を選択する。この選択は、３０はマウスカーソルを表す。マウスボタンが押されたとき、マウスカーソル３０の位置を読み取り、その位置を指定された修正色を選択するものであっても構わないが、各候補色に数字などの記号を表示し、それをキーボード等で入力することにより選択するものであっても構わない。
【００３０】
例えば図４の（ｂ）に示すように、オペレータが見ているディスプレイ上の特定の位置、左上に設けた指定色表示領域２０に表示する。例えば、図４の（ｃ）に示すように、選択した抽出色を中心として、それの次の低明度と、それの次の高明度、および隣接した色相の色をマトリックス状に表示する候補色を３×３表示した上で各々の候補色につき選択番号を付けたうえで、修正候補色表示領域２０に表示する。この例では、修正候補色表示領域２０の位置は、左上であるが、オペレータの指示によって変更できるようにしてもよい。
【００３１】
（１０５）修正結果を画像のかたちで目で確認できるように表示装置を用いてオペレータに見せ、修正した画像が修正したい色であるかどうかを確認させる。また、実際に印刷しなければ確認できない場合もあるので、現在の修正結果にて印刷し、見本や色標準がある場合にはこれらと比較し、この様な比較する様な物がない場合でも、色バランスや確認をとるために印刷可能となっている。
【００３２】
この場合、表示装置の画像データを用いて直接印刷可能な場合はその画像データで印刷原画像データに現在の修正データである差分色値を付加した印刷データを作成し、この印刷データにより印刷を行う。
【００３３】
（１０６）確認の結果、所望の色でなければ、修正終了ではないので処理（１０２）へ戻り、再度画像中の一点を指定させて、同様の処理を繰り返す。（１０６）修正終了であれば、修正データを作成して修正作業を終わる。
【００３４】
図５は、マウスやライトペンなどで指定された抽出対象の色の一点の画像データをもとに、画像の他の部分から同色相で明度の異なる複数の点を、自動的に選択する方法を説明するための図である。
【００３５】
図５の（ａ）に示す方法では、指定点（代表点）Ｐが指定されたならば、その点を通るｘ方向、ｙ方向の十字のライン上にある画像データを調査し、その中で、同色相の画像データを取り出す。例えば、ｘｙ各ライン上のＲＧＢ各画像データと代表点のＲＧＢデータとの差が、ある一定値以下のとき、同色相とする。
【００３６】
印刷するときは、原画像データに修正データである差分色値を付加した印刷データを作成し、この印刷データにより印刷を行う。
【産業上の利用可能性】
【００３７】
本発明は、カラー画像中の任意に色抽出した抽出色を修正する機能を有する色修正装置に関する。
【図面の簡単な説明】
【００３８】
【図１】本発明の原理説明図である。
【図２】本発明の画像表示の一例を示す図である。
【図３】本発明の実施例の処理フローを示す図である。
【図４】本発明の実施例による色の指定と指定色の表示例を示す図である。
【図５】本発明の実施例による複数点の選択説明図である。
【符号の説明】
【００３９】
１０    計算機
１１    画像入力装置
１２    位置入力装置
１３    画像表示装置
１４    画像保持用メモリ
１５    代表点指示入力部
１６    指定色表示部
１７    色抽出部
１８    表示用メモリ
１９    修正候補色選択部
２０    修正候補色表示領域
２１    代表点
２２    色修正部
【図１】
2005184261.tif 000003
【図２】
2005184261.tif 000004
【図３】
2005184261.tif 000005
【図４】
2005184261.tif 000006
【図５】
2005184261.tif 000007